(57)【要約】  特にカムシャフト調整のための電磁調整装置（１）は、絶縁性ポッティング材から製造されたプラグハウジング（１０）を有する。プラグハウジング（１０）内には、それぞれ端子（３４，２５，２６，２７；３０，３１，３２）を有する固定コイルユニット（２０）およびセンサユニット（３０）が埋め込み方式で設置されており、これらの端子は電気配線（４１〜４６）によってプラグハウジング（１０）上に突出するコンタクトピン（６１〜６６）および作動ユニット（８０）に電気的に接続されている。作動ユニット（８０）内には、例えば自動車両のカムシャフト調整ユニット（１）の少なくとも１つのタペット（１００，１０１）と相互作用するために、コイルユニット（２０）の通電により軸線方向に移動可能である少なくとも１つの軸線方向に移動可能なアーマチュア（９１，９２）が設置されている。コンタクトピン（６１〜６６）へのコイルユニット（２０）およびセンサユニット（３０）の端子（２４，２５，２６，２７；３０，３１，３２）および電気配線（４１〜４６）は、プラグハウジング（１０）のポッティング材内に包埋されている。
2019526745.tif 000002
【特許請求の範囲】
【請求項１】
絶縁性ポッティング材から製造されたプラグハウジング（１０）を有する、特にカムシャフト調整のための電磁調整装置（１）であって、前記プラグハウジング（１０）内には、それぞれ端子（２４，２５，２６，２７；３１，３２，３３）を有する固定コイルユニット（２０）およびセンサユニット（３０）が埋め込み方式で設置されており、これらの端子は電気配線（４１〜４６）によってプラグハウジング（１０）上に突出するコンタクトピン（６１〜６６）および作動ユニット（８０）に電気的に接続されており、前記作動ユニット（８０）内には、前記コイルユニット（２０）の通電により軸線方向に移動可能である少なくとも１つの軸線方向に移動可能なアーマチュア（９１，９２）が設置されている、電磁調整装置（１）において、
前記コンタクトピン（６１〜６６）への前記コイルユニット（２０）およびセンサユニット（３０）の端子（２４，２５，２６，２７；３０，３１，３２）および電気配線（４１〜４６）が、前記プラグハウジング（１０）のポッティング材内に包埋されていることを特徴とする、電磁調整装置。
【請求項２】
前記コイルユニット（２０）と前記コンタクトピン（６４，６５，６６）との間の電気配線（４４，４５，４６）、または前記センサユニット（３０）と前記コンタクトピン（６１，６２，６３）との間の電気配線（４１，４２，４３）、あるいはこれら両方の電気配線（４１，４２，４３）が、金属の打ち抜き格子として形成されている、または前記プラグハウジング（１０）内に予め曲げられて挿入されている、あるいはこれらの両方であることを特徴とする、請求項１に記載の特にカムシャフト調整のための電磁調整装置。
【請求項３】
それぞれの場合において、前記コイルユニット（２０）と前記コンタクトピン（６４，６５，６６）との間に３本の電気配線（４４，４５，４６）が備えられ、かつ前記センサユニット（３０）と前記コンタクトピン（６１，６２，６３）との間に３本の配線（４１，４２，４３）が備えられていることを特徴とする、請求項１または２に記載の特にカムシャフト調整のための電磁調整装置。
【請求項４】
前記コイルユニット（２０）が、コイル（２１，２２）が巻回された少なくとも１つのコイル支持体（２８）、並びに異なる軸線方向高さを有する上側カラー（２８ａ）および下側カラー（２８ｂ）を有し、少なくとも２つのコンタクトピンが端子（２４，２５，２６，２７）として幅広なカラー（２８ａまたは２８ｂ）に挿入され、前記端子がコイル（２１）のコイル線のコイル線端部（２１ａ，２１ｂ）にそれぞれ電気的に接続されていることを特徴とする、請求項１乃至３のいずれか１項に記載の特にカムシャフト調整のための電磁調整装置。
【請求項５】
前記コンタクトピンが前記コイル線端部（２１ａ，２１ｂ）に溶接されていることを特徴とする、請求項４に記載の特にカムシャフト調整のための電磁調整装置。
【請求項６】
前記作動ユニット（８０）のアーマチュア（９１，９２）がアーマチュアピンとして形成されており、かつ前記プラグハウジング（１０）が作動ユニット（８０）上に配置されたときに、前記コイルユニット（２０）のコイル（２１）内において中央に係合することを特徴とする、請求項１乃至５のいずれか１項に記載の特にカムシャフト調整のための電磁調整装置。
【請求項７】
前記作動ユニット（８０）が、前記コイルユニット（２０）を包囲する前記プラグハウジング（１０）の空洞（１８）内に少なくとも部分的に係合する弓形の形態にあるシェルまたはガイドプレート（８４）を有することを特徴とする、請求項１乃至６のいずれか１項に記載の特にカムシャフト調整のための電磁調整装置。
【請求項８】
前記プラグハウジング（１０）が、ブッシング（１３）が押し出された平板状底部（１１）を有することを特徴とする、請求項１乃至７のいずれか１項に記載の特にカムシャフト調整のための電磁調整装置。
【請求項９】
前記プラグハウジング（１０）がカバー（１５）によって閉鎖されていることを特徴とする、請求項１乃至８のいずれか１項に記載の特にカムシャフト調整のための電磁調整装置。
【請求項１０】
前記コイルユニット（２０）がコイル支持カラー（２８ａ，２８ｂ）を有する少なくとも１つのコイル本体（２８）を有し、前記コイル支持カラー（２８ａ，２８ｂ）には周囲封止リップ（２８ｃ，２８ｄ）が設けられており、これらの封止リップ（２８ｃ，２８ｄ）が前記プラグハウジング（１０）のポッティング材内に挿入されていることを特徴とする、請求項１乃至９のいずれか１項に記載の特にカムシャフト調整のための電磁調整装置。
【発明の詳細な説明】
【技術分野】
【０００１】
本発明は、請求項１の前提部に記載の特徴を有する、特にカムシャフト調整のための電磁調整装置に関する。
【背景技術】
【０００２】
そのような電磁カムシャフト調整装置は、例えば、特許文献１より知られている。この装置は、固定コイルユニットおよびセンサユニットが内部に設置されたプラグハウジングを有する。コイルユニットおよびセンサユニットはそれぞれ端子を有し、詳細には説明されていない方法で電気配線（ｅｌｅｋｔｒｉｓｃｈｅ  Ｌｅｉｔｕｎｇｅｎ）を介して、ハウジングのプラグ部の内側のコンタクトピンに接続されている。プラグハウジングは、軸線方向に移動可能なアーマチュアを有する作動ユニット上に設置され、そのアーマチュアはコイルユニットの通電により軸線方向に移動可能であり、かつ自動車両のカムシャフト調整ユニットのタペットと相互に作用する。ハウジングはコイルユニットを包囲する円筒状ハウジングシェルを有する。この場合、円筒状ハウジングは、コイルユニットが押出被覆されるようにプラスチックポッティング材によって充填されている。コイルユニットの下端領域は、そのポッティング材から依然として突出している。
【０００３】
コイルユニットは、詳細には示されていない方法で、プラグハウジング上において外部からアクセス可能なコンタクトピンにつながる接続線に接続されている。これらのコンタクトピンは、プラグハウジング上に一体的に形成されたプラグフランジの空洞内に設置されている。加えて、センサユニットは、その約半分がポッティング材によって包囲され、かつその下半分がプラグハウジングの空洞内に突出するように、ハウジング上に固定されている。センサユニットは、この場合、円盤状の永久磁石と相互に作用し、そのためアーマチュアの軸線方向の移動の間、永久磁場の変化はセンサユニットによって検出可能であり、これを後の電子的処理に供給することができる。
【０００４】
プラグハウジング内部の個々の構成要素の比較的複雑な取り付け、およびとりわけコイルユニットとセンサーとの接触は、そのような電磁カムシャフト調整装置において特に課題を示す。コイルは製造のために自動車両の油に晒されるので、接点の適切な封止および／または漏出密封性が保証されるべきである。従って、一般にそのような電磁カムシャフト調整装置内において溶接される接点は油と接触不可であるため、一方ではコイルとプラグハウジングのコンタクトピンとの間における個々の接点、および他方ではまたセンサユニットとプラグハウジングのコンタクトピンとの間における個々の接点を完全に油密にする必要がある。これは、接点と油とのそのような接触が望ましくない銅腐食を生じるためである。従って、これらの溶接された接点は、センサーをプラグハウジング内に取り付けた後に、さらなるポッティング材によって、このさらなるポッティング材を未だ露出した接点に適用することにより、規則的に別々に再度封止される。
【０００５】
電磁カムシャフト調整装置における対応する接点のそのような別々の封止は、一方では非常に複雑であり、他方では、電磁カムシャフト調整装置全体の費用効率の高い生産に反する付加的な方法ステップを必要とする。加えて、さらなるポッティング材の適用中に腐食に敏感な接点の完全な封止をもたらさない不備が生じる危険性がある。
【先行技術文献】
【特許文献】
【０００６】
【特許文献１】独国実用新案第２０２００９００６９４０号明細書
【発明の概要】
【発明が解決しようとする課題】
【０００７】
本発明について以下に説明する。
本発明は記載した不都合を回避し、個々の構成要素および特に接点が完全に油密で形成されるように冒頭に規定した電磁調整装置を改良することを目的とする。
【課題を解決するための手段】
【０００８】
この目的は、コイルユニットおよびまたセンサーの双方、並びに関連する電気配線および端子がポッティング材に完全に埋め込まれている、プラグハウジングがポッティング材からなる本発明に従って本質的に達成される。
【０００９】
この方法は、電磁調整装置の重要な構成要素、並びに接点および／または電気配線がプラグハウジングのポッティング材内に完全に油密に一体化されることを保証し、電磁調整装置の作動ユニット上に配置して、その上に固定するだけで機能的な電磁調整装置を提供する、すべての電磁構成要素を有する完成した扱い易いアセンブリが提供されるという利点がさらに得られる。
【００１０】
そのような電磁調整装置は、電磁アクチュエータの簡単な取り付けおよび完全な油密性によって特徴付けられる。
そのような電磁調整装置のさらなる実施形態は従属請求項に明示される。
【００１１】
本発明のさらなる実施形態では、コイルユニットとプラグハウジングから外部よりアクセス可能なコンタクトピンとの間の電気配線、および／またはセンサユニットとプラグハウジングから外部よりアクセス可能なコンタクトピンとの間の電気配線が金属打ち抜き格子（ｍｅｔａｌｌｉｓｃｈｅｓ  Ｓｔａｎｚｇｉｔｔｅｒ）として形成され、かつ予め曲げられて射出成形金型内に挿入され、その射出成形金型内においてプラグハウジングが押出被覆によって続いて製造されることを規定する。そのような前加工した打ち抜き格子の本質的な利点は、一方では、コイルユニットに前に接続することができるということであり、よって打ち抜き格子を有するコイルユニットは、非常に容易に扱うことができ、かつ射出成形金型に挿入することができる前加工した構造ユニットを形成する。これはまた、センサユニットが接続されるさらなる打ち抜き格子にも当てはまる。固定され接続されたセンサユニットを有するこの打ち抜き格子はまた、容易に扱うことができる前加工した構造ユニットを形成する。打ち抜き格子は、しかるべく予め曲げられて、簡単な方法でプラグハウジングの射出成形金型内に挿入され得る。これはまた電磁調整装置の製造工程を決定的に単純化する。
【００１２】
コイルユニット用の３本の電気配線およびセンサユニット用の３本の電気配線の双方を提供することが好都合であることが判明している。従って、合計６本の電気配線が６つのコンタクトピンに接続可能であり、それらのコンタクトピンは適当なプラグを介して制御電子回路ユニットおよび／または分析電子回路ユニットに接続することができる。センサーの３本の配線の各々は、１本はセンサーの接地端子に接続され、１本はセンサーの供給電位に接続され、１本はセンサーの信号線に接続される。
【００１３】
いわゆる２ピンカムシャフト調整器では、２つのコイルがコイルユニットに提供される。これらの２つのコイルにはそれぞれ正極端子および接地端子が備えられており、２つの接地端子は互いに接続され得る。２つの正極端子および共通接地端子は、次に打ち抜き格子の３本の上記の配線に接続される。打ち抜き格子のこれらの３本の配線は、次に本発明に従って電磁カムシャフト調整装置のプラグの３つのコンタクトピンに接続される。
【００１４】
電磁調整装置および特にカムシャフト調整装置が、単一のタペットのみを作動させるための所謂１ピンアクチュエータである場合には、コイルユニットはまた単一のコイルのみを有する。この場合、２つの配線（正極端子および接地端子）のみが必要となる。
【００１５】
本発明の別のさらなる実施形態において、コイルユニットはコイル支持体上に巻回された少なくとも１つのコイルを有する。コイル支持体は上側カラーおよび下側カラーを有し、それらの２つのカラーは異なる軸線方向高さを有する。上側カラーであり得る幅広なカラーでは、例えば、少なくとも２つのコンタクトピンが端子として挿入され、それらの端子はそれぞれコイルのコイル線のコイル線端部に電気的に接続されている。この場合、コンタクトピンをコイル線端部に溶接することが有利であることが判明している。しかしながら、例えば、はんだ付け、電気伝導性接着剤接合など他の電気接続方法も可能である。
【００１６】
本発明のさらなる実施形態において、作動ユニットのアーマチュアは、アーマチュアピンとして設計されており、プラグハウジングが作動ユニット上に配置されたときに、コイルユニットのコイル内において中央に少なくとも部分的に係合する。２ピンアクチュエータを実装する場合には、２つのそのようなアーマチュアピンが備えられる。
【００１７】
またコイルユニットを包囲するプラグハウジングの空洞に少なくとも部分的に係合する弓形の形態にある金属からなるシェルを作動ユニットに設けることが有利であることも判明した。ガイドプレートとして具体化することもできる弓形の形態にある金属からなるこれらのシェルは、コイルユニットの通電により、よって電磁カムシャフト調整装置の動作時に、生成される電磁場を案内するために用いられる。
【００１８】
プラグハウジングを作動ユニット上に固定できるようにするためには、プラグハウジングが平板状底部を有し、その平板状底部にはブッシングが押し出されることが有利であることが判明した。これらのブッシングの開口は、この場合には、作動ユニット上の対応する固定開口と整合され、その結果、プラグハウジングの作動ユニットへのねじ接続が簡単な方法で可能となる。
【００１９】
本発明のさらなる実施形態において、プラグハウジングはカバーによって閉鎖される。これは、レーザー溶接または他の固定方法によってプラグハウジング上に固定されるプラスチックカバーであり得る。
【００２０】
最後に油密性を高めるために、コイルユニットは少なくとも１つのコイル本体を有することができ、そのコイル支持カラーには周囲封止リップが備えられている。封止リップはまた、プラグハウジングの製造中にプラグハウジングのポッティング材によって押出被覆され、その結果、このように確実で最適な封止が得られる。
【００２１】
本発明に従った電磁カムシャフト調整装置をさらに説明するためのいくつかの図面に基づいて、特定の例示的な実施形態について詳細に説明する。
【図面の簡単な説明】
【００２２】
【図１】より分かり易くするためにプラグハウジングを透明にして示した、本発明に従った電磁カムシャフト調整装置の例示的な実施形態の分解図。
【図２】取り付けられた状態の図１に従った電磁カムシャフト調整装置を示す図。
【図３】内部に取り付けられた構成要素とともに透視図で示された図１および図２のプラグハウジングの斜視図。
【図４】内部に位置する構成要素を有した図３の断面Ｂに沿った図３からのプラグハウジングの断面図。
【図５】断面線Ａ−Ａに沿った図４に示したプラグハウジングの断面図。
【図６】プラグハウジングに向かって斜め下から見たプラグハウジングおよびその内部に位置する構成要素の斜視図。
【図７】プラグハウジング内に位置する２つのコイル間において断面が形成されたプラグハウジングの横断面図。
【図８】図３からの断面線Ｃ−Ｃに沿ったプラグハウジング１０の断面図。
【図９】斜視図のコイル支持体を含むプラグハウジング内に位置するコイルのうちの１つの斜視図。
【図１０】図９からのコイルの上面図。
【発明を実施するための形態】
【００２３】
図面の以下の説明において、同一の参照数字は、他に示されていない場合には、同一の意味を有する同一の部品を識別する。以下の図において、より分かり易くするため、かつよりよく理解するために、プラグハウジングおよびその内部に一体的に形成された底部、並びに一体的に形成されたプラグフランジはそれぞれ、プラグハウジング内に位置する構成要素を見えるようにすると同時に、図の説明についての理解を促進するために透明にして示されている。このプラグハウジングが実際には明らかに透明にされる必要はないことは自明である。プラグハウジングの任意の色彩設計が可能である。プラグハウジングの１つの特に好ましい色の変形例は、それが黒色ポッティング材からなることである。
【００２４】
図１には、全体が参照番号１で識別された電磁カムシャフト調整装置の可能な一実施形態が示されている。図１に示した電磁カムシャフト調整装置は、カムシャフトの調整のために２つのタペット１００，１０１が内燃機関の調整溝内に係合する、所謂「２ピンアクチュエータ」である。後に説明されるコイルユニットの対応する通電により、カムシャフトの調整を実施するために、これらのタペット１００，１０１を軸線方向に前後に移動させることができる。「２ピンアクチュエータ」の代わりに、電磁カムシャフト調整装置はまた、単一のタペットのみが内燃機関のカムシャフトの単一の調整溝内に係合してカムシャフトを調整する、所謂「１ピンアクチュエータ」としても設計され得る。
【００２５】
この文脈において、本発明に従った電磁調整装置は、好ましくは、カムシャフトの調整を目的として、上記の１つ以上のタペットを移動させるために提供されるが、自動車両における使用に制限されない他の調整作業にも用いることができることに特に留意するべきである。
【００２６】
電磁カムシャフト調整装置１は、プラスチックポッティング材から製造されたプラグハウジング１０を有し、プラグハウジング１０上には平板状底部１１が一体的に形成されている。この底部１１は、プラグハウジング１０のほぼ円形または楕円形のハウジング壁を越えて突出しており、中央開口１４を有する２つの直径方向に対向したブッシング１３が、この突出した領域（この点に関して図４参照）に埋め込まれて保持されている。これらのブッシング１３は、プラグハウジング１０を後に説明する固定ユニット８０および自動車両のエンジンハウジング（図１には示さず）に固定するために用いられる。加えて、プラグハウジング１０にはプラグフランジ１２が一体的に形成されている。好ましくは楕円形の断面形状を有し、かつ後に説明するコンタクトピン６１〜６６を収容するこのプラグフランジ１２は、図１の実施例では、プラグハウジング１０から左側に突出している。
【００２７】
図１が示すように、プラグハウジング１０は、カバー１５、好ましくはプラスチックから製造されたカバーによって、その上側面において閉鎖されている。このカバー１５は、封止を形成するためにプラグハウジング１０上に配置されている。プラグハウジング１０への機械的な接続は、例えば、超音波溶接、接着剤接合、または同様の固定方法によって生成することができる。この場合、カバー１５は、プラグハウジング１０上において可能な限り漏出防止性を有するように設置されることが重要である。
【００２８】
プラグハウジング１０は、カバー部１５から離反するように向いたその下側面上、よって底部１１の下側面上に、周溝１６を有する。周溝１６内には、プラグハウジング１０が作動ユニット８０上に配置されて電磁カムシャフト調整装置が取り付けられるときに、封止リング１７が挿入される。プラグハウジング１０および作動ユニット８０のこの組み立て状態を図２に示す。
【００２９】
既に述べたように、プラグハウジング１０はプラスチックポッティング材からなる。この場合、電気部品、接点および接続線はすべて、プラグハウジング１０のポッティング材内に埋め込まれ、その中に完全かつ広範囲に包埋され、その結果、完全な漏出密封性が保証される。プラグハウジング１０内に埋め込まれた電気部品が電気的に接続される上述のコンタクトピン６１〜６６のみがポッティング材から突出する。
【００３０】
電気部品、端子コンタクトおよび電気配線のポッティングおよび包埋は、図４の断面線Ａ−Ａに沿った、ハウジング１０のポッティング材がクロスハッチングされて示されている図５の断面図において特にはっきりと確認できる。
【００３１】
２つのコイルを有するコイルユニット２０はプラグハウジング１０内に設置され、「２ピンアクチュエータ」を実現するための例示的な実施形態は、すなわち第１コイル２１および第２コイル２２を有する。コイル２１，２２の双方は、好ましくは同様に具体化される。コイル２１は図９において斜視図で示され、また図１０において上面図で拡大されている。コイル２１はコイル支持体２８に巻回されている。好ましくは同様にプラスチックからなるこのコイル支持体２８は、上側カラー２８ａおよび下側カラー２８ｂを有する。これらの２つのカラー２８ａ，２８ｂは、コイル２１の外側巻線の外径を若干越えて突出して、その範囲を定める。コイル支持体２８の上側カラー２８ａは、コイル支持体２８の下側カラー２８ｂより有意に高い。これは、接触弓の形態にある電気端子２４，２５を上側カラー２８ａの周壁に側方方向に挿入できるようにするために必要である。コイル２１の２つのコイル端部２１ａ，２１ｂは、例えば、端子２４，２５として用いられるコンタクトピンのタブがコイル端部２１ａ，２１ｂを緊締し、それらに電気的に接触することによって、端子２４，２５に電気的に接続される。加えて、コイル支持体２８の上側カラー２８ａおよび下側カラー２８ｂの双方はそれぞれ周囲封止リップ２８ｃ，２８ｄを有しており、周囲封止リップ２８ｃ，２８ｄが、プラグハウジング１０の製造およびそれに関連するコイル２１（およびまたコイル２２）のポッティングの間におけるプラグハウジング１０のポッティング材への最適な熱可塑性結合と、よって最適な封止効果とを保証する。
【００３２】
第２コイル２２は説明したコイル２１と同様の方法で構成されており、かつ第２コイル２２のコイル端部が電気的に接続されるコンタクトピンを同様に有する。これらのコンタクトピンは、第２コイル２２の端子２６，２７を形成する。
【００３３】
第１コイル２１の端子２４，２５、および第２コイル２２の端子２６，２７は、電気配線によってプラグハウジング１０のコンタクトピン６４，６５，６６に電気的に接続されている。この場合、電気配線は３本の配線を有する金属の打ち抜き格子として実現される。打ち抜き格子のこれらの３本の配線は、好ましくはいくつかの区間で互いに平行に延びており、かつ第１コイル２１の端子２４，２５および第２コイル２２の端子２６，２７に接触する。この場合、第１コイル２１の端子２４および第２コイル２２の端子２６は、それらの端子がグランドにあるため、接触弓（Ｋｏｎｔａｋｔｂｕｅｇｅｌ）によって互いに短絡される。よって、２つの端子２４，２６は打ち抜き格子の電気配線４４に一緒に接続される（この点に関して図６参照）。第１コイル２１の端子２５は打ち抜き格子の配線４５に接続され、第２コイル２２の端子２７は打ち抜き格子の電気配線４６に接続されている。
【００３４】
製造時、コイル２１，２２はそれらの端子２４〜２７とともに予め組み立てられて、取り付けユニットに供給され、その中でコイル２１，２２の端子２４〜２７は打ち抜き格子の対応する３本の配線４４，４５，４６に溶接される。この前加工した打ち抜き格子には、その他方の端部において、コンタクトピン６４，６５，６６を備えている。その配線４４，４５，４６および関連するコンタクトピン６４，６５，６６、並びに溶接されたコイル２１，２２も有する打ち抜き格子は、次にしかるべく予め曲げられて射出成形金型内に挿入され、この金型内においてプラグハウジング１０が射出成形される。
【００３５】
加えて、一端において上述のコンタクトピン６１，６２，６３を有し、かつ他端においてセンサユニット３０に電気的に接続されたさらなる打ち抜き格子も、この射出成形金型内に挿入される。センサユニット３０は、上記のタペット１００，１０１またはこれらのタペット１００，１０１に動作可能に接続されたアーマチュア９０，９１の軸線方向位置を検出する目的で、電磁カムシャフト調整装置の動作時に提供される、例えばホールセンサーであってもよい。このセンサユニット３０は、例えば、センサユニット３０の集積回路のコンタクトピンとして形成することができる３つの端子３１，３２，３３を有する。これらの端子３１，３２，３３は、例えば、溶接によって、打ち抜き格子の配線４１，４２，４３に電気的に接続される。
【００３６】
さらなる事前組立ステーションにおいて、このセンサユニット３０は打ち抜き格子の配線４１，４２，４３に溶接される。配線４１，４２，４３を有する第２打ち抜き格子と溶接されたセンサユニット３０とからなる、このように予め取り付けられたこの第２ユニットは、適当な方法で曲げられ、同様にプラグハウジング１０の押し出しのための射出成形金型内に挿入される。
【００３７】
加えて、特に図６に明瞭に示すように、２つのブッシング１３も射出成形金型に挿入される。続いて、プラスチック製のプラグハウジング１０を押し出すために、ポッティング材が射出成形金型に導入される。この場合、射出成形金型およびネガティブ（凹型）射出成形金型は、２つのコイル２１，２２のすべての端子２４，２５，２６，２７、およびセンサユニット３０の端子３１，３２，３３がプラスチックを用いて完全に押出被覆され、よって封止されるように設計されている。加えて、プラグフランジ１２内に突出するコンタクトピン６１〜６６を除いて、２つの打ち抜き格子の配線４１〜４６もすべてプラスチックを用いて完全に押出被覆される。最後に、コイルもまた、図５の断面図に明瞭に示されるように、プラスチック材料を用いて全体が押出被覆される。この場合には、特にコイル支持体の管状内壁もポッティング材で全体が押出被覆され得る。
【００３８】
プラグハウジング１０の内側のすべての構成要素の最適な封止はこのように保証される。さらに、記載した製造方法によって、図１に示すように作動ユニット８０上に配置するだけでよい、扱いが非常に簡単な構成要素が提供される。
【００３９】
この作動ユニット８０は、プラグハウジング１０の底部プレート１１の寸法に概ね相当する、例えば金属からなる、底部プレート８１を有する。固定孔８２は、プラグハウジング１０の固定ブッシング１３の開口１４と整合されて、作動ユニット８０の底部プレート８１内に組み込まれている。カムシャフトの調整に用いられ、かつピン形アーマチュア９１，９２にそれぞれ動作可能に接続されている上述のタペット１００，１０１は、この底部プレート８１の下側面から突出している。プラグハウジング１０が作動ユニット８０上に配置されるとき、これらの２つのアーマチュア９１，９２は、コイル２１，２２の中央開口に少なくとも部分的に係合する。アーマチュア９１，９２は、コイル２１および／またはコイル２２の通電により、このように軸線方向に移動可能であり、それにタペット１００，１０１の軸線方向の移動が連動する。前述のセンサユニット３０はこの軸線方向の移動を検出することができる。
【００４０】
アーマチュア９１，９２およびタペット１００，１０１に加えて、作動ユニット８０はまた、コイルユニット２０の２つのコイル２１，２２のまわりに形成されたプラグハウジング１０の空洞１８（この点に関して図５参照）に係合する金属の管状ガイドプレート８４も有する。作動ユニット８０をプラグハウジング１０のこの空洞１８内に挿入することができるように、ガイドプレート８４は長手方向スロット８５を有し、センサユニット３０はプラグハウジング１０および作動ユニット８０の取り付けの間に長手方向スロット８５内に押し込まれる。
【００４１】
内部に埋め込まれた電気部品並びに電気配線および電気端子を有するプラグハウジング１０の図５の断面図から明らかなように、プラグハウジング１０のポッティング材はこれらの構成要素を完全に包囲している。従って、コイル２１，２２、センサユニット３０、および関連する端子２４〜２７，３１〜３３の各々、並びに接続線４４〜４６はすべて、特にモーターオイルとの接触に関して封止され、かつ最適に保護される。
【００４２】
最後に、図５はまた、プラグハウジング１０のポッティング材によって完全に埋め込まれたセンサ、すなわちセンサユニット３０は、底部１１のフットプリントを超過量Ｄだけ僅かに越えて突出するという特別な特徴を示している。これは、センサユニット３０が、アーマチュア９１，９２とともに移動可能に配列され、かつ分かり易くするために図示されていない永久磁石およびその磁界を最適に検出することができるために必要である。加えて、図５は、ブッシング１３も底部１１のフットプリントを僅かに越えて突出していることを示している。よって、これらのブッシング１３は、ブッシング１３のこの突出領域が作動ユニット８０の上記の開口８２に係合することができることにより、整合補助部として簡単な方法で用いられ得る。
【符号の説明】
【００４３】
１…特にカムシャフト調整のための電磁調整装置、１０…プラグハウジング、１１…底部、１２…プラグフランジ、１３…ブッシング、１４…開口、１５…カバー、１６…封止リング、１７…溝、１８…空洞、２０…コイルユニット、２１…コイル、２１ａ…コイル線端部、２１ｂ…コイル線端部、２２…第２コイル、２４…端子、２５…端子、２６…端子、２７…端子、２８…第１コイル支持体、２８ａ…第１コイル支持体２８の上側カラー、２８ｂ…第１コイル支持体２８の下側カラー、２８ｃ…上側カラー２８ａ上の周囲封止リップ、２８ｄ…下側カラー２８ｂ上の周囲封止リップ、２９…第２コイル支持体、２９ａ…第２コイル支持体２９の上側カラー、２９ｂ…第２コイル支持体２９の下側カラー、３０…センサユニット、３１…端子、３２…端子、３３…端子、４１…電気配線、４２…電気配線、４３…電気配線、４４…電気配線、４５…電気配線、４６…電気配線、６１…コンタクトピン、６２…コンタクトピン、６３…コンタクトピン、６４…コンタクトピン、６５…コンタクトピン、６６…コンタクトピン、８０…作動ユニット、８１…底部プレート、８２…固定開口、８３…固定開口、８４…管状ガイドプレート、８５…スロット、９１…アーマチュア、９２…アーマチュア、１００…タペット、１０１…タペット、Ａ−Ａ…断面、Ｂ…切断面、Ｃ−Ｃ…断面、Ｄ…超過量。
【図１】
2019526745.tif 000003
【図２】
2019526745.tif 000004
【図３】
2019526745.tif 000005
【図４】
2019526745.tif 000006
【図５】
2019526745.tif 000007
【図６】
2019526745.tif 000008
【図７】
2019526745.tif 000009
【図８】
2019526745.tif 000010
【図９】
2019526745.tif 000011
【図１０】
2019526745.tif 000012
【手続補正書】
【提出日】平成31年4月1日(2019.4.1)
【手続補正１】
【補正対象書類名】特許請求の範囲
【補正対象項目名】全文
【補正方法】変更
【補正の内容】
【特許請求の範囲】
【請求項１】
絶縁性ポッティング材から製造されたプラグハウジング（１０）を有する、カムシャフト調整のための電磁調整装置（１）であって、前記プラグハウジング（１０）内には、それぞれ端子（２４，２５，２６，２７；３１，３２，３３）を有する固定コイルユニット（２０）およびセンサユニット（３０）が埋め込み方式で設置されており、これらの端子は電気配線（４１〜４６）によってプラグハウジング（１０）上に突出するコンタクトピン（６１〜６６）および作動ユニット（８０）に電気的に接続されており、前記作動ユニット（８０）内には、前記コイルユニット（２０）の通電により軸線方向に移動可能である少なくとも１つの軸線方向に移動可能なアーマチュア（９１，９２）が設置されている、電磁調整装置（１）において、
前記コンタクトピン（６１〜６６）への前記コイルユニット（２０）およびセンサユニット（３０）の端子（２４，２５，２６，２７；３０，３１，３２）および電気配線（４１〜４６）が、前記プラグハウジング（１０）のポッティング材内に包埋されていることを特徴とする、電磁調整装置。
【請求項２】
前記コイルユニット（２０）と前記コンタクトピン（６４，６５，６６）との間の電気配線（４４，４５，４６）、または前記センサユニット（３０）と前記コンタクトピン（６１，６２，６３）との間の電気配線（４１，４２，４３）、あるいはこれら両方の電気配線（４１，４２，４３）が、金属の打ち抜き格子として形成されている、または前記プラグハウジング（１０）内に予め曲げられて挿入されている、あるいはこれらの両方であることを特徴とする、請求項１に記載のカムシャフト調整のための電磁調整装置。
【請求項３】
前記コイルユニット（２０）と前記コンタクトピン（６４，６５，６６）との間に３本の電気配線（４４，４５，４６）が備えられ、かつ前記センサユニット（３０）と前記コンタクトピン（６１，６２，６３）との間に３本の配線（４１，４２，４３）が備えられていることを特徴とする、請求項１または２に記載のカムシャフト調整のための電磁調整装置。
【請求項４】
前記コイルユニット（２０）が、コイル（２１，２２）が巻回された少なくとも１つのコイル支持体（２８）、並びに異なる軸線方向高さを有する上側カラー（２８ａ）および下側カラー（２８ｂ）を有し、少なくとも２つのコンタクトピンが端子（２４，２５，２６，２７）として幅広なカラー（２８ａまたは２８ｂ）に挿入され、前記端子がコイル（２１）のコイル線のコイル線端部（２１ａ，２１ｂ）にそれぞれ電気的に接続されていることを特徴とする、請求項１乃至３のいずれか１項に記載のカムシャフト調整のための電磁調整装置。
【請求項５】
前記コンタクトピンが前記コイル線端部（２１ａ，２１ｂ）に溶接されていることを特徴とする、請求項４に記載のカムシャフト調整のための電磁調整装置。
【請求項６】
前記作動ユニット（８０）のアーマチュア（９１，９２）がアーマチュアピンとして形成されており、かつ前記プラグハウジング（１０）が作動ユニット（８０）上に配置されたときに、前記コイルユニット（２０）のコイル（２１）内において中央に係合することを特徴とする、請求項１乃至５のいずれか１項に記載のカムシャフト調整のための電磁調整装置。
【請求項７】
前記作動ユニット（８０）が、前記コイルユニット（２０）を包囲する前記プラグハウジング（１０）の空洞（１８）内に少なくとも部分的に係合する弓形の形態にあるシェルまたはガイドプレート（８４）を有することを特徴とする、請求項１乃至６のいずれか１項に記載のカムシャフト調整のための電磁調整装置。
【請求項８】
前記プラグハウジング（１０）が、ブッシング（１３）が押し出された平板状底部（１１）を有することを特徴とする、請求項１乃至７のいずれか１項に記載のカムシャフト調整のための電磁調整装置。
【請求項９】
前記プラグハウジング（１０）がカバー（１５）によって閉鎖されていることを特徴とする、請求項１乃至８のいずれか１項に記載のカムシャフト調整のための電磁調整装置。
【請求項１０】
前記コイルユニット（２０）がコイル支持カラー（２８ａ，２８ｂ）を有する少なくとも１つのコイル本体（２８）を有し、前記コイル支持カラー（２８ａ，２８ｂ）には周囲封止リップ（２８ｃ，２８ｄ）が設けられており、これらの封止リップ（２８ｃ，２８ｄ）が前記プラグハウジング（１０）のポッティング材内に挿入されていることを特徴とする、請求項１乃至９のいずれか１項に記載のカムシャフト調整のための電磁調整装置。
【国際調査報告】
2019526745.tif 000013
2019526745.tif 000014
2019526745.tif 000015
2019526745.tif 000016